(57)【要約】      （修正有）【課題】支持体の両面に粘着面を有し、例えば紙と紙とを接着するために用いられる両面テープの、利便性を向上させるために、擬態的には、両面テープの使用に際し、粘着面の直下に設けられた文字等の情報を、第三者が確認することを困難とするような、秘密保持機能を有する両面テープを提供する。【解決手段】支持体１と、支持体１の少なくとも１面に印刷されたカモフラージュ用マーク２と、支持体１の両面に設けれた粘着材層３，４とを有する両面テープ。好ましくは、支持体１が不織布であり、更にカモフラージュ用マークが、意味をなさないランダムに配置されたアルファベット文字であることが望ましく、支持体１の上下、左右端部の方向に傾斜して配置されていることが、より望ましい両面テープ。【選択図】図１
2017088795.tif 000002
【特許請求の範囲】
【請求項１】
支持体と、この支持体の少なくとも１面に印刷されたカモフラージュ用マークと、前記支持体の両面に設けれた粘着材層とを有することを特徴とする両面テープ。
【請求項２】
前記支持体は、不織布であることを特徴とする請求項１項記載の両面テープ。
【請求項３】
前記カモフラージュ用マークは、意味を成さないランダムに配置されたアルファベット文字であることを特徴とする請求項１項記載の両面テープ。
【請求項４】
前記カモフラージュ用マークは、支持体の上下、左右端部の方向に対して傾斜して配置されていることを特徴とする請求項３項記載の両面テープ。
【発明の詳細な説明】
【技術分野】
【０００１】
本発明は、支持体の両面に粘着層を有する両面テープに関するものである。
【背景技術】
【０００２】
両面テープは、紙と紙等を接合するために利用されるものであり、透明な支持体の両面に粘着層が設けられている。
このような従来の両面テープの利便性を向上させるために、支持体上に製品情報を印刷するもの（下記特許文献１）や、支持体（表示層）に広告などを印刷したもの（下記特許文献２）が知られている。
これらは、透明な粘着層を介して、情報が利用者に見えるようにすることを目的とするものである。
【０００３】
しかしながら、両面テープの粘着面を凝視するような利用者は極めて少ない。
よって、このように両面テープの支持体に情報を印刷しても、その情報は、多くの場合、無駄になってしまう。
【０００４】
【特許文献１】特開２００４−２０３９３８
【特許文献２】特開２０１０−５４０７３２
【発明の開示】
【発明が解決しようとする課題】
【０００５】
これに対して、本発明は、両面テープの利便性を向上させることを目的とするものである。
具体的には、両面テープを用いて粘着される紙などに記載されてある情報や、内包された情報などの判別を困難として、情報漏洩を防止することを可能とするものである。
【０００６】
通常、粘着部を凝視する者は、粘着面の下に何が書いてあるのか見たい第三者であり、テープの利用者ではない。
本発明は、このような第三者の目から、粘着面の下にある情報を保護することが可能な両面テープを提供することを目的としている。
【課題を解決するための手段】
【０００７】
上記課題を解決するため、本発明は両面テープであって、請求項１に記載するように、支持体と、この支持体の少なくとも１面に印刷されたカモフラージュ用マークと、前記支持体の両面に設けれた粘着材層とを有することを特徴としている。
【０００８】
また、請求項２に記載するように、支持体が不織布であることを特徴としている。
また、請求項３に記載するように、前記カモフラージュ用マークは、意味を成さないランダムに配置されたアルファベット文字であることを特徴とするものである。
また、請求項４に記載するように、前記カモフラージュ用マークは、支持体の上下、左右端部の方向に対して傾斜して配置されていることを特徴とするものである。
【発明の効果】
【０００９】
本発明によれば、上述のように、粘着した面の直下にある情報を、第三者が確認することを困難とするような両面テープを提供することが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示す両面テープの断面図である。
１は不織布で構成された支持体である。
２はこの支持体１の上面に印刷形成されたカモフラージュ用マークである。
３は支持体１の下面に設けられた第１の粘着層であり、４は支持体１の上面に設けられた第２の粘着層である。
尚、これらの寸法は、この両面テープを用いた製品、例えばシート製品、ロールテープ製品、或は塗膜転写具によって任意に変更される。
塗膜転写具を構成する場合は、例えば、支持体１の膜厚が２５μｍから３５μｍとし、粘着層の膜厚は、第１粘着層３と第２の粘着層４を合わせて１５μｍから４５μｍ程度としている。
また、一旦接着したテープをきれいに剥がせるようにした製品の場合は、例えば、支持体１の材料として樹脂フィルムを用いて、支持体の膜厚を２０μｍから３０μｍとし、粘着層の膜厚は、第１粘着層３と第２の粘着層４を合わせて４５μｍから６５μｍ程度としている。
尚、テープ幅は１０ｍｍ、或は１５ｍｍとしているが、これに限定されるものではない。
【００１２】
上述のカモフラージュ用マークを図２に示す。
このカモフラージュ用マークは、支持体１の上下、左右の方向に対して傾斜して、意味を成さないランダムなアルファベット文字列が、連続的に並んだパターンを構成している。
尚、アルファベット文字は、各線が等幅のフォントが用いられている。
また、一部の文字は、向きが４５度、及び９０度回転されている。
【００１３】
本実施例においては、アルファベット文字列が、支持体１に傾斜して印刷されており、この傾斜配置によって、このマークの直下に傾斜せず配置された文字情報が、より判別困難となる。
また、等幅のフォントを用いることや、一部の文字の向きを変化させることでも、このマークの直下に傾斜せず配置された文字情報が、より判別困難となる。
【００１４】
この両面テープは、例えば、図３に示すように、剥離シート５の上面に両面テープの第１の粘着層３が配置されて、ロール状に巻かれて製品となる。
また、図４に示すように、透明な剥離テープ上に第１の粘着層が配置されて、テープ糊の供給リールにロール状に巻かれ、塗膜転写具のテープ糊として用いられる。
尚、本塗膜転写装置については、意匠権の設定の登録がされている（意匠登録第１３９２２２８号）が、これに限定されるものではない。
【００１５】
尚、本実施例においては、支持体は不織布を用いているが、セルロースや樹脂フィルムであってもよい。また、粘着剤は従来用いられているアクリル系の粘着剤或はゴム系の粘着剤が用いられている。
【００１６】
本発明は、上記実施例に限定されるものではなく、例えば、カモフラージュ用マークは、アルファベット文字を傾斜して配置したものでなくてもよい。
また、アルファベット文字ではなく、ランダムな幾何学形状であってもよい。
また、カモフラージュ用マークの色は、黒色に限定されるものではなく、赤色や青色、或は複数の色を用いてもよい。
【産業上の利用可能性】
【００１７】
本発明は、粘着した部分の直下に配置された情報を、第三者が確認することが困難となる両面テープに関するものであり、このように両面テープに、秘密保持機能を持たせることで、両面テープの利便性を向上させるものである。
【図面の簡単な説明】
【００１８】
【図１】図１は、本発明の実施例の形態に係る、両面テープの断面図である。
【図２】図２は、本発明の実施例に用いるカモフラージュ用マークを示す図である。
【図３】図３は、本発明の実施例の両面テープを用いたテープ製品を示す図である。
【図４】図４は、本発明の実施例の両面テープを用いた塗膜転写具を示す図である。
【符号の説明】
【００１９】
１：支持体
２：カモフラージュ用マーク
３：第１の粘着層
４：第２の粘着層
【図１】
2017088795.tif 000003
【図２】
2017088795.tif 000004
【図３】
2017088795.tif 000005
【図４】
2017088795.tif 000006